(57)【要約】      （修正有）【課題】所定形状の面光源になるように任意に組合せ可能な発光モジュールを提供する。【解決手段】発光モジュールは複数の発光ユニットを有する。複数の発光ユニットの各々は、正極接点及び負極接点を有する基板ユニットと、電気的に基板ユニット上に接続された複数の発光ダイオードチップと、複数の発光ダイオードチップを覆うように形成された光透過パッケージコロイドと、光透過パッケージコロイドの一部を取り囲んで形成された一部囲み式光反射コロイドとを備える。各々の光透過パッケージコロイドの外囲の一部囲み式光反射コロイドによって覆われていない部分に、一つ又は複数の露出コロイド領域が形成され、複数の発光ユニットの複数の露出コロイド領域同士を選択的に近接させることにより、複数の一部囲み式光反射コロイド同士が連結されて複数の光透過パッケージコロイドを封止する囲みコロイドが形成される。【選択図】図１Ａ
0003156826.tif 000002
【実用新案登録請求の範囲】
【請求項１】
複数の発光ユニットを有する発光モジュールであって、前記複数の発光ユニットの各々は、正極接点及び負極接点を有する基板ユニットと、電気的に前記基板ユニット上に接続された複数の発光ダイオードチップと、前記複数の発光ダイオードチップを覆うように前記基板ユニットの上表面に形成された光透過パッケージコロイドと、前記光透過パッケージコロイドの一部を取り囲んで前記基板ユニットの上表面に形成された一部囲み式光反射コロイドとが備えられ、前記発光ユニットの各々の光透過パッケージコロイドの外囲の一部が、前記一部囲み式光反射コロイドによって覆われ、前記発光ユニットの各々の光透過パッケージコロイドの外囲の残り部分に、一つ又は複数の露出コロイド領域が形成され、前記複数の発光ユニットの前記複数の露出コロイド領域同士を選択的に近接させることにより、前記複数の一部囲み式光反射コロイド同士が連結されて前記複数の光透過パッケージコロイドを封止する囲みコロイドが形成される、ことを特徴とする所定形状の面光源になるように任意に組合せ可能な発光モジュール。
【請求項２】
前記基板ユニットは、基板本体と、前記基板本体の上表面に設置されたチップ実装領域とが備えられ、前記複数の発光ダイオードチップが、電気的に前記基板ユニットのチップ実装領域に接続され、前記発光ユニットの各々の一部囲み式光反射コロイドが、塗布方式により、前記光透過パッケージコロイドの一部を取り囲むように前記基板本体の上表面に形成され、前記一部囲み式光反射コロイドの上表面が、円弧形状をなし、前記基板本体の上表面に対する前記一部囲み式光反射コロイドの円弧接線の角度が、４０〜５０度であり、前記基板本体の上表面に対する前記一部囲み式光反射コロイドの上面の高さが、０．３〜０．７ｍｍである、ことを特徴とする請求項１に記載の所定形状の面光源になるように任意に組合せ可能な発光モジュール。
【請求項３】
前記複数の発光ユニットは、数が二つであり、前記二つの発光ユニットの二つの露出コロイド領域同士が、緊密に近接し、前記二つの発光ユニットの各々の一部囲み式光反射コロイドが、Ｕ文字状であり、前記二つの発光ユニットの各々の一部囲み式光反射コロイドの側辺と前記基板ユニットの側辺との距離が、０〜０．１５ｍｍであり、前記基板ユニットの各々の正極接点及び負極接点が、前記基板ユニットの各々の末端に設置される、ことを特徴とする請求項１に記載の所定形状の面光源になるように任意に組合せ可能な発光モジュール。
【請求項４】
前記複数の発光ユニットのうちの二つの発光ユニットは、外部発光ユニットであり、前記二つの外部発光ユニットの二つの一部囲み式光反射コロイドが、Ｕ文字状であり、前記二つの外部発光ユニットの各々の露出コロイド領域の数が、一つであり、前記複数の発光ユニットのうちの残りの複数の発光ユニットが、内部発光ユニットであり、前記内部発光ユニットの各々の一部囲み式光反射コロイドが、二つの互いに離間する直線状をなし、前記内部発光ユニットの各々の露出コロイド領域の数が、二つであり、前記内部発光ユニットの各々の二つ露出コロイド領域がそれぞれ、前記光透過パッケージコロイドの各々の両側に位置する、ことを特徴とする請求項１に記載の所定形状の面光源になるように任意に組合せ可能な発光モジュール。
【請求項５】
前記複数の発光ユニットの数が、四つであり、前記発光ユニットの各々の露出コロイド領域の数が、二つであり、前記発光ユニットの各々の二つの露出コロイド領域がそれぞれ、一つの近接する発光ユニットの一つの露出コロイド領域、及び、他の近接する発光ユニットの一つの露出コロイド領域と緊密に近接し、前記発光ユニットの各々の一部囲み式光反射コロイドが、Ｌ文字状になる、ことを特徴とする請求項１に記載の所定形状の面光源になるように任意に組合せ可能な発光モジュール。
【請求項６】
複数の発光ユニットと、複数の蛍光体や金属シートと、を備える発光モジュールであって、
前記複数の発光ユニットの各々は、正極接点及び負極接点を有する基板ユニットと、電気的に前記基板ユニット上に接続された複数の発光ダイオードチップと、前記複数の発光ダイオードチップを覆うように前記基板ユニットの上表面に形成された光透過パッケージコロイドと、前記光透過パッケージコロイドの一部を取り囲んで前記基板ユニットの上表面に形成された一部囲み式光反射コロイドとが備えられ、前記発光ユニットの各々の光透過パッケージコロイドの外囲の一部が、前記一部囲み式光反射コロイドによって覆われ、前記発光ユニットの各々の光透過パッケージコロイドの外囲の残り部分に、一つ又は複数の露出コロイド領域が形成され、前記複数の発光ユニットの前記複数の露出コロイド領域同士を選択的に近接させることにより、複数の隙間が形成され、これにより、前記複数の一部囲み式光反射コロイドが、前記複数の光透過パッケージコロイドを囲む囲みコロイドに形成され、前記複数の蛍光体または金属シートがそれぞれ、前記複数の隙間に充填される、ことを特徴とする所定形状の面光源になるように任意に組合せ可能な発光モジュール。
【請求項７】
複数の発光ユニットを備え、
前記複数の発光ユニットは、正極接点及び負極接点を有する基板ユニットと、電気的に前記基板ユニット上に接続された複数の発光ダイオードチップと、前記複数の発光ダイオードチップを覆うように前記基板ユニットの上表面に形成された光透過パッケージコロイドと、前記光透過パッケージコロイドを取り囲むように前記基板ユニットの上表面に形成された囲み式蛍光コロイド枠体と、が備えられ、前記発光ユニットの各々の光透過パッケージコロイドの周囲が前記囲み式蛍光コロイド枠体によって覆われ、前記囲み式蛍光コロイド枠体が選択的に緊密に近接する、ことを特徴とする所定形状の面光源になるように任意に組合せ可能な発光モジュール。
【考案の詳細な説明】
【技術分野】
【０００１】
本考案は、発光モジュールに関し、特に、所定形状の面光源になるように任意に組合せ可能な発光モジュールに関する。
【背景技術】
【０００２】
電灯の考案は、徹底的に全人類の生活方式を革新し、我々の生活に電灯がないと、夜や悪い天気の時に全ての作業ができなくなり、照明がなければ、家の建築方式や人類の生活方式が徹底的に異なり、全人類の進歩も遅くなって、ここまで進歩しなかっただろう。
【０００３】
市販の照明設備は、例えば、昼光電球やタングステン電球から、広く受け入れられた省エネルギーバルブまで、日常生活に普及されている。しかし、このような電灯は、光減衰が速く、電力消費が高く、高発熱になりやすく、耐用寿命が短く、壊れやすく、そして、リサイクルが難しいなどの欠点がある。そのため、発光ダイオードバルブや発光ダイオードチューブ及び灯条が登場した。
【０００４】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００５】
本考案の主な目的は、ユーザーのニーズに応じて、複数の発光ユニットを組み合わせて、所定の形状の面光源になることのできる発光モジュールを提供する。
【課題を解決するための手段】
【０００６】
本考案は、上記の技術問題を解決するために、複数の発光ユニットを有する発光モジュールであって、前記複数の発光ユニットの各々は、正極接点及び負極接点を有する基板ユニットと、電気的に前記基板ユニット上に接続された複数の発光ダイオードチップと、前記複数の発光ダイオードチップを覆うように前記基板ユニットの上表面に形成された光透過パッケージコロイドと、前記光透過パッケージコロイドの一部を取り囲んで前記基板ユニットの上表面に形成された一部囲み式光反射コロイドとが備えられ、前記発光ユニットの各々の光透過パッケージコロイドの外囲の一部が、前記一部囲み式光反射コロイドによって覆われ、前記発光ユニットの各々の光透過パッケージコロイドの外囲の残り部分に、一つ又は複数の露出コロイド領域が形成され、前記複数の発光ユニットの前記複数の露出コロイド領域同士を選択的に近接させることにより、前記複数の一部囲み式光反射コロイド同士が連結されて前記複数の光透過パッケージコロイドを封止する囲みコロイドが形成される、所定形状の面光源になるように任意に組合せ可能な発光モジュールである。
【考案の効果】
【０００７】
本考案によれば、ユーザーのニーズに応じて、上記複数の発光ユニットを組み合わせることにより所定の形状を有し、連続性（陰影隙間がない）を持つ面光源を形成させることができるという利点が得られる。
【０００８】
以下、図面を参照しながら、本考案の特徴や技術内容について、詳しく説明するが、それらの図面等は、参考や説明のためであり、本考案は、それによって制限されることが無い。
【図面の簡単な説明】
【０００９】
【図１Ａ】図１Ａは本考案の第１実施例の上面分解概念図である。
【図１Ｂ】図１Ｂは本考案の第１実施例の上面組立て概念図である。
【図１Ｃ】図１Ｃは本考案の第１実施例の側面断面概念図である。
【図１Ｄ】図１Ｄは本考案の第１実施例の変形例の上面分解概念図である。
【図１Ｅ】図１Ｅは本考案の第１実施例の変形例の上面組立て概念図である。
【図１Ｆ】図１Ｆは本考案の第１実施例の変形例の側面断面概念図である。
【図２Ａ】図２Ａは本考案の第２実施例の上面分解概念図である。
【図２Ｂ】図２Ｂは本考案の第２実施例の上面組立て概念図である。
【図２Ｃ】図２Ｃは本考案の第２実施例の変形例の上面分解概念図である。
【図２Ｄ】図２Ｄは本考案の第２実施例の変形例の上面組立て概念図である。
【図３Ａ】図３Ａは本考案の第３実施例の上面分解概念図である。
【図３Ｂ】図３Ｂは本考案の第３実施例の上面組立て概念図である。
【図３Ｃ】図３Ｃは本考案の第３実施例の変形例の上面分解概念図である。
【図３Ｄ】図３Ｄは、本考案の第３実施例の変形例の上面組立て概念図である。
【図４Ａ】図４Ａは本考案の第４実施例の上面分解概念図である。
【図４Ｂ】図４Ｂは本考案の第４実施例の上面組立て概念図である。
【図５Ａ】図５Ａは本考案の第５実施例の上面分解概念図である。
【図５Ｂ】図５Ｂは本考案の第５実施例の上面組立て概念図である。
【図６Ａ】図６Ａは本考案の第６実施例の上面分解概念図である。
【図６Ｂ】図６Ｂは本考案の第６実施例の上面組立て概念図である。
【考案を実施するための形態】
【００１０】
図１Ａから図１Ｃを参照すると、本考案の第１実施例による所定形状の面光源に任意に組合せ可能な発光モジュールは、複数の発光ユニットＬを有し、各発光ユニットＬには、正極接点Ｐ及び負極接点Ｎを有する基板ユニット１と、電気的に前記基板ユニット１上に接続された複数の発光ダイオードチップ２と、前記複数の発光ダイオードチップ２を覆うように前記基板ユニット１の上表面に形成された光透過パッケージコロイド４と、前記光透過パッケージコロイド４の一部を取り囲んで前記基板ユニット１の上表面に形成された一部囲み式光反射コロイド３と、が備えられる。
【００１１】
また、前記基板ユニット１には、基板本体１０と、前記基板本体１０の上表面に設置されたチップ実装領域１１とを有し、前記複数の発光ダイオードチップ２が、電気的に前記基板ユニット１のチップ実装領域１１上に接続され、また、各発光ユニットＬの一部囲み式光反射コロイド３が、塗布方式により、前記基板本体１０の表面の一部を取り囲むように、前記基板本体１０の上表面に形成される。
【００１２】
また、前記一部囲み式光反射コロイド３の上表面は円弧形状になり、前記基板本体１０の上表面に対する前記一部囲み式光反射コロイド３の円弧接線Ｔの角度θが、４０〜５０度であり、上記基板本体１０の上表面に対する前記一部囲み式光反射コロイド３の上面の高さＨが、０．３〜０．７ｍｍであり、前記一部囲み式光反射コロイド３の底部の幅が、１．５〜３ｍｍであり、また、前記一部囲み式光反射コロイド３のチクソトロピー指数（ｔｈｉｘｏｔｒｏｐｉｃ  ｉｎｄｅｘ）が、４〜６である。
【００１３】
また、各発光ユニットＬの光透過パッケージコロイド４の外囲の一部が、前記一部囲み式光反射コロイド３によって覆われ、各発光ユニットＬの光透過パッケージコロイド４の外囲の残り部分に、一つ又は複数の露出コロイド領域４０が形成され、また、前記複数の発光ユニットＬの前記複数の露出コロイド領域４０同士を選択的に近接させてもよく、これにより、前記複数の一部囲み式光反射コロイド３が連結されて前記複数の光透過パッケージコロイド４を封止するための囲みコロイド３０が形成される。
【００１４】
本考案の第１実施例によれば、前記複数の発光ユニットＬの数が、二つであり、前記二つの発光ユニットＬの二つの露出コロイド領域４０が近接し、各発光ユニットＬの一部囲み式光反射コロイド３が、Ｕ文字状をなし、各発光ユニットＬの一部囲み式光反射コロイド３の側辺と基板ユニット１の側辺との距離ｄが、０〜０．１５ｍｍであり、また、各基板ユニット１の正極接点Ｐ及び負極接点Ｎが、各基板ユニット１の末端に設置される。
【００１５】
図１Ｄから図１Ｆに示すように、本考案の第１実施例の変形例と前記第１実施例との最大の相違点は、各発光ユニットＬに、光透過パッケージコロイド４を取り囲むように前記基板ユニット１の上表面に形成された囲み式蛍光コロイド枠体３があることである。各発光ユニットＬの囲み式蛍光コロイド枠体３は塗布により、前記基板本体１０の上表面に光透過パッケージコロイド４を取り囲むように形成される。各発光ユニットＬの光透過パッケージコロイド４の回りに、前記囲み式蛍光コロイド枠体３によって覆われ（即ち、各囲み式蛍光コロイド枠体３は、各対応した光透過パッケージコロイド４の周囲領域を取り囲んで封止する）、また、それらの囲み式蛍光コロイド枠体３は、選択的に緊密に近接する。そのため、本考案の第１実施例は、連続的な光源を発生することができる（即ち、二つの発光ユニットLの間に暗い領域が存在するようなことはない）。
【００１６】
図２Ａと図２Ｂを参照しながら、本考案の第２実施例と第１実施例との相違点は、二つの発光ユニットＬが二つの外部発光ユニットで、上記二つの外部発光ユニットの二つの一部囲み式光反射コロイド３がＵ文字状で、各外部発光ユニットの露出コロイド領域４０の数が一つで、残りの発光ユニットＬが複数の内部発光ユニットで、各内部発光ユニットの一部囲み式光反射コロイド３が互いに分離する二つの直線状で、各内部発光ユニットの露出コロイド領域４０の数が二つで、また、各内部発光ユニットの二つの露出コロイド領域４０は各光透過パッケージコロイド４の両側に位置することである。
【００１７】
図２Ｃと、図２Ｄを参照すると、本考案の第２実施例の変形例と前記第１実施例の変形例との最大の相違点は、それらの発光ユニットＬのそれらの囲み式蛍光コロイド枠体３が、直列されて長尺状の光源を形成することである。
【００１８】
図３Ａと図３Ｂを参照すると、本考案の第３実施例と上記他の実施例との相違点は、前記複数の発光ユニットＬの数が四つで、各発光ユニットＬの光透過パッケージコロイド４の露出コロイド領域４０の数が二つで、各発光ユニットＬの二つの露出コロイド領域４０がそれぞれ、一つの近接する発光ユニットＬの一つの露出コロイド領域４０、及び、他の一つの近接する発光ユニットＬの一つの露出コロイド領域４０と互いに近接し、また、各発光ユニットＬの一部囲み式光反射コロイド３が、Ｌ文字状であることである。
【００１９】
図３Ｃと図３Ｄを参照すると、本考案の第３実施例の変形例と前記第１実施例の変形例及び第２実施例の変形例との最大の相違点は、それらの発光ユニットＬの数が四個であり、各発光ユニットＬの囲み式蛍光コロイド枠体３が隣の二つの発光ユニットＬの二つの囲み式蛍光コロイド枠体３と緊密に近接して方形の光源を形成することである。
【００２０】
図４Ａと図４Ｂを参照すると、本考案の第４実施例と第１実施例との相違点は、前記複数の発光ユニットＬの前記複数の露出コロイド領域４０同士を選択的に近接させて複数の隙間ｇを形成させることにより、前記複数の一部囲み式光反射コロイド３で前記複数の光透過パッケージコロイド４を囲む囲みコロイド３０が形成され、また、複数の蛍光体５がそれぞれ、前記複数の隙間ｇ内に充填されることであり、また、前記複数の蛍光体５の代わりに、他の光透過体や光反射体（例えば、金属シート）を使用しても良い。
【００２１】
図５Ａと図５Ｂを参照しながら、本考案の第５実施例と第２実施例との相違点は、前記複数の発光ユニットＬの前記複数の露出コロイド領域４０を選択的に近接させて複数の隙間ｇを形成させることにより、前記複数の一部囲み式光反射コロイド３で前記複数の光透過パッケージコロイド４を囲む囲みコロイド３０が形成されることであり、また、複数の蛍光体５がそれぞれ、前記複数の隙間ｇ内に充填される。
【００２２】
図６Ａと図６Ｂを参照しながら、本考案の第６実施例と第３実施例との相違点は、前記複数の発光ユニットＬの前記複数の露出コロイド領域４０を選択的に近接させて複数の隙間ｇを形成させることにより、前記複数の一部囲み式光反射コロイド３で前記複数の光透過パッケージコロイド４を囲む囲みコロイド３０が形成されることであり、また、複数の蛍光体５がそれぞれ、前記複数の隙間ｇ内に充填される。
【００２３】
以上は、単に本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【産業上の利用可能性】
【００２４】
以上のように、本考案によれば、ユーザーのニーズに応じて、上記複数の発光ユニットを組み合わせることにより、所定の形状を有し、連続性（陰影隙間がない）を持つ面光源（例えば、ストライプ状面光源や四角面光源等）を生成することができる。
【符号の説明】
【００２５】
Ｌ  発光ユニット
１  基板ユニット
１０  基板本体
１１  チップ実装領域
２  発光ダイオードチップ
３  一部囲み式光反射コロイド
３０  囲みコロイド
４  光透過パッケージコロイド
４０  露出コロイド領域
５  蛍光体
Ｐ  正極接点
Ｎ  負極接点
Ｔ  円弧接線
θ  角度
Ｈ  高さ
ｄ  距離
ｇ  隙間
【図１Ａ】
0003156826.tif 000003
【図１Ｂ】
0003156826.tif 000004
【図１Ｃ】
0003156826.tif 000005
【図１Ｄ】
0003156826.tif 000006
【図１Ｅ】
0003156826.tif 000007
【図１Ｆ】
0003156826.tif 000008
【図２Ａ】
0003156826.tif 000009
【図２Ｂ】
0003156826.tif 000010
【図２Ｃ】
0003156826.tif 000011
【図２Ｄ】
0003156826.tif 000012
【図３Ａ】
0003156826.tif 000013
【図３Ｂ】
0003156826.tif 000014
【図３Ｃ】
0003156826.tif 000015
【図３Ｄ】
0003156826.tif 000016
【図４Ａ】
0003156826.tif 000017
【図４Ｂ】
0003156826.tif 000018
【図５Ａ】
0003156826.tif 000019
【図５Ｂ】
0003156826.tif 000020
【図６Ａ】
0003156826.tif 000021
【図６Ｂ】
0003156826.tif 000022